(57)【要約】      （修正有）【課題】スキャン開始ボタンを押下してからスキャナの動作開始までの時間を低減し、ユーザにとって使い勝手の良い画像形成装置を提供ずる。【解決手段】原稿をスキャンしてＳ３１０外部のサーバに送信することが可能な画像形成装置において、ユーザからの送信設定の変更を受け付ける送信設定変更手段Ｓ３０３、Ｓ３０６と、送信設定変更手段で変更された設定がスキャナの動作速度に影響するかどうかを判断するスキャナ動作速度影響判断手段Ｓ３０７と、送信設定からスキャナの動作速度を算出し動作速度をスキャナに通知するスキャナ動作速度通知手段Ｓ３０４と、を有する。スキャナ動作速度影響判断手段Ｓ３０７によってスキャナの動作速度に影響する設定が変更されたと判断した場合に、スキャナ動作速度通知手段Ｓ３０４によって動作速度をスキャナに通知する。【選択図】図３
2020141350.tif 000002
【特許請求の範囲】
【請求項１】
原稿をスキャンし（Ｓ３０９）文書ファイルに変換して（Ｓ３１０）外部のサーバに送信する（Ｓ３１１）ことが可能な画像形成装置（１０１）において、
ユーザからの送信設定の変更を受け付ける送信設定変更手段（Ｓ３０３、Ｓ３０６）と、
前記送信設定変更手段で変更された設定がスキャナの動作速度に影響するかどうかを判断するスキャナ動作速度影響判断手段（Ｓ３０７）と、
前記送信設定からスキャナの動作速度を算出し前記動作速度をスキャナに通知するスキャナ動作速度通知手段（Ｓ３０４）と、を有し、
そこにおいて、スキャナ動作速度影響判断手段（Ｓ３０７）によってスキャナの動作速度に影響する設定が変更されたと判断した場合に、前記スキャナ動作速度通知手段（Ｓ３０４）によって前記動作速度をスキャナに通知することを特徴とする画像形成装置。
【請求項２】
前記送信設定変更手段（Ｓ３０３）によって初めて送信設定の変更を受け付けた時は、前記スキャナ速度影響判断手段に関係なく前記スキャナ動作速度通知手段（Ｓ３０４）によって前記動作速度をスキャナに通知することを特徴とする請求項１に記載の画像形成装置。
【請求項３】
前記スキャナ動作速度影響判断手段（Ｓ３０７）は、スキャン時の解像度設定、またはカラーモードが変更されたかどうかを判断する
ことを特徴とする請求項１に記載の画像形成装置。
【発明の詳細な説明】
【技術分野】
【０００１】
本発明は、スキャナで読み取った画像を指定された画像フォーマットのファイルに変換  してネットワーク上の送信宛先に送信する画像処理装置、その制御方法、及びプログラム  に関する。
【背景技術】
【０００２】
スキャナで読み取った画像を指定された画像フォーマットのファイルに変換してネット  ワーク上の送信宛先に送信するＭＦＰ（Ｍｕｌｔｉ  Ｆｕｎｃｔｉｏｎ  Ｐｅｒｒｉｐｈｅ  ｒａｌ）等の画像処理装置がある。このようなＭＦＰでは、電力消費を低減するため、ＭＦＰ内のプリンタ、スキャナ、ＵＩパネル毎に電源を別にして、使用しない装置には通電しないような制御を行っている。
【０００３】
しかし、例えば、ＭＦＰでフィーダーを使って複数枚の原稿をスキャンしようとする際に、スキャン開始ボタンを押下してからスキャナに通電を行うと、原稿の引き込みまでに時間がかかってしまうという問題があった。このような動作であると、ユーザは装置の反応が鈍く感じ、使い勝手がよくないという問題があった。
【０００４】
このため、ＭＦＰでは、ユーザが操作を行おうとした際に、表示されている画面に応じて、必要であると判断される装置に対して予め通電しておく処理が提案されている（特許文献１）。
【先行技術文献】
【特許文献】
【０００５】
【特許文献１】特開２０１５−２２２９０９号公報
【発明の概要】
【発明が解決しようとする課題】
【０００６】
しかしながら、ＭＦＰではスキャナのフィーダーの動作速度が複数ある場合があり、スキャン開始ボタンを押下してから、動作速度に合わせたハードウェアの準備に時間がかかってしまっていた。このため、スキャナのフィーダーの動作速度が複数あるＭＦＰにおいては、ユーザにとって装置の反応が鈍く感じ、使い勝手がよくないという問題があった。
【０００７】
そこで、本発明は、スキャナのフィーダーの動作速度が複数あるＭＦＰにおいても、スキャン開始ボタンを押下してからスキャナの動作開始までの時間を低減し、ユーザにとって使い勝手の良い画像形成装置を提供することを目的とする。
【課題を解決するための手段】
【０００８】
上記の目的を達成するために、本発明に係る画像形成装置は、
原稿をスキャンし（Ｓ３０９）文書ファイルに変換して（Ｓ３１０）外部のサーバに送信する（Ｓ３１１）ことが可能な画像形成装置（１０１）において、
ユーザからの送信設定の変更を受け付ける送信設定変更手段（Ｓ３０３、Ｓ３０６）と、
前記送信設定変更手段で変更された設定がスキャナの動作速度に影響するかどうかを判断するスキャナ動作速度影響判断手段（Ｓ３０７）と、
前記送信設定からスキャナの動作速度を算出し前記動作速度をスキャナに通知するスキャナ動作速度通知手段（Ｓ３０４）と、を有し、
そこにおいて、スキャナ動作速度影響判断手段（Ｓ３０７）によってスキャナの動作速度に影響する設定が変更されたと判断した場合に、前記スキャナ動作速度通知手段（Ｓ３０４）によって前記動作速度をスキャナに通知することを特徴とする。
【発明の効果】
【０００９】
本発明によれば、スキャン開始ボタンを押下してからスキャナの動作開始までの時間を低減し、ユーザにとって使い勝手の良い画像形成装置の提供を実現できる。
【図面の簡単な説明】
【００１０】
【図１】実施例１のネットワーク構成を示す図である。
【図２】実施例１のシステムのハードウェア構成を示す図である。
【図３】実施例１の処理を示すフローチャートである。
【発明を実施するための形態】
【００１１】
以下、本発明を実施するための形態について、図面を参照しながら説明する。
【実施例１】
【００１２】
図１は本発明の実施形態に係わるシステム全体のネットワーク構成を説明するものである。
【００１３】
画像形成装置１０１、サーバ１０２は本発明を適用した装置として、お互いの通信相手として動作する。本実施例では、画像形成装置１０１はＦＴＰ（FileTransferProtocol）により、サーバ１０２と通信を行う通信機能を備えている。図１においては、画像形成装置１０１は、ファイアウォール（ＦＷ）１０３を通じてＮｅｔｗｏｒｋ１０４に接続されている。本実施例では、サーバ１０２はＦＴＰサーバとして動作し、画像形成装置１０１はＦＴＰクライアントとして動作する。
【００１４】
また、本実施例では、画像形成装置１０１はＮｅｔｗｏｒｋ１０４に対してファイアウォール（ＦＷ）１０３を介して通信する構成であるが、ファイアウォール（ＦＷ）１０３を介さないネットワーク構成でもよい。また、Ｎｅｔｗｏｒｋ１０４には図示したよりも多くのファイアウォール（ＦＷ）１０３、画像形成装置１０１、サーバ１０２が接続されてもよい。また、本実施例では、通信プロトコルはＦＴＰでなく、ＳＭＢ（ServerMessageBlock）、ＷｅｂＤＡＶ（Web-based Distributed Authoring and Versioning）などでもよい。また、通信プロトコルはＳＭＴＰ（SimpleMailTransferProtocol）といったメール通信のプロトコルでもよい。
【００１５】
図２は、本発明の実施形態に係わるシステム全体のハードウェア構成を示すブロック図である。
【００１６】
画像形成装置１０１において、２０２はＣＰＵで、ＲＯＭ２０３またはハードディスク（ＨＤＤ）２０５に記憶された制御プログラムに基づいてシステムバス２０６に接続される各種のデバイスとのアクセスを総括的に制御する。２０３はＲＯＭで、ＣＰＵ２０２が実行可能な制御プログラム等を記憶している。２０４はＲＡＭで、主としてＣＰＵ２０２の主メモリ、ワークエリア等として機能し、不図示の増設ポートに接続されるオプションＲＡＭによりメモリ容量を拡張することができるように構成されている。
【００１７】
２０５は、ハードディスク（ＨＤＤ）で、ブートプログラム、各種のアプリケーション、フォントデータ、ユーザファイル、編集ファイル等を記憶する。なお、本実施例ではＨＤＤ２０５を用いたが、ＨＤＤ２０５の他にＳＤカードや、フラッシュメモリなどを外部記憶装置として利用してもよい。２０１は、スキャナＩ／Ｆであり、スキャナ２１１からの画像入力を制御する。２０７は、プリンタＩ／Ｆであり、プリンタ２１２への画像出力を制御する。２０８はパネル操作Ｉ／Ｆで、オペレーションパネル２１０の表示制御および、オペレーションパネル２１０で設定される各種設定情報の入力を制御する。２０９はネットワークＩ／Ｆであり、ネットワークケーブルを経由して外部ネットワークとデータ通信を行う。
【００１８】
画像ファイリングサーバ１０２において、２２１はＣＰＵで、ＲＯＭ２２２またはハードディスク（ＨＤＤ）２２４に記憶された制御プログラムに基づいてシステムバス２２５に接続される各種のデバイスとのアクセスを総括的に制御する。２２２はＲＯＭで、ＣＰＵ２２１が実行可能な制御プログラム等を記憶している。２２３はＲＡＭで、主としてＣＰＵ２２１の主メモリ、ワークエリア等として機能し、不図示の増設ポートに接続されるオプションＲＡＭによりメモリ容量を拡張することができるように構成されている。
【００１９】
２２４は、ハードディスク（ＨＤＤ）で、ブートプログラム、各種のアプリケーション、フォントデータ、ユーザファイル、編集ファイル等を記憶する。なお、本実施例ではＨＤＤ２２４を用いたが、ＨＤＤ２２４の他にＳＤカードや、フラッシュメモリなどを外部記憶装置として利用してもよい。２２５はシステムバスである。２２６はネットワークＩ／Ｆであり、ネットワークケーブルを経由して外部ネットワークとデータ通信を行う。
【００２０】
図３は画像形成装置１０１の本実地例の処理を示すフローチャートである。
【００２１】
本フローチャートはＨＤＤ２０５に格納されたプログラムがＲＡＭ２０４に読み出され、ＣＰＵ２０２によって実行されることで実現される。また、本フローチャートは、ユーザが画僧形成装置１０１のおオペレーションパネル２１０を操作することで開始される。
【００２２】
本フローチャートが開始されると、まず画像形成装置１０１はオペレーションパネル２１０から、送信画面への遷移要求を受け付ける（Ｓ３０１）。これは、例えば、オペレーションパネル２１０に表示された送信機能用のアイコンを押下することによって実現される。Ｓ３０１に応答して画像形成装置１０１は送信画面をオペレーションパネル２１０に表示する（Ｓ３０２）。
【００２３】
次に画像形成装置１０１はオペレーションパネル２１０から、送信設定のためのユーザ入力を受け付ける（Ｓ３０３）。送信設定には、スキャン設定として解像度・原稿の種類の設定等、ファイル設定としてファイル形式やファイル分割設定等、送信設定として宛先設定等が含まれる。ユーザ入力はこの送信設定の中のいずれかの設定が入力されることを示す。この時、ユーザ入力されなかった送信設定については、画像形成装置１０１で予め決定されているデフォルト値が設定される。ユーザの操作に応答して、画像形成装置１０１は設定されている送信設定からスキャナ２１１の動作速度を算出し、スキャナＩ／Ｆ２０１を通してスキャナ２１１へ通電要求と動作速度を通知する（Ｓ３０４）。
【００２４】
送信設定から動作速度を算出するには、例えば、スキャナ２１１の能力と、スキャン設定の中の解像度の設定やカラーモードから、算出するという手段がある。さらに例えば、解像度やカラーモードの設定値の範囲は予め決まっているため、毎回計算するのではなく、テーブルから速度を一意に決めてしまう手段もある。このＳ３０４のスキャナ２１１への通知によって、スキャナ２１１はスキャン開始要求が来た際すぐに動作開始するためのハードウェアの準備を実施することが可能となる。
【００２５】
次に、画像形成装置１０１はオペレーションパネル２１０から送信開始要求を受け付けたかどうか判断する（Ｓ３０５）。送信開始要求を受け付けた場合はＳ３０８へ、送信開始要求を受け付けていない場合はＳ３０６へと進む。Ｓ３０５で送信開始要求を受け付けていないと判断した場合は、画像形成装置１０１はオペレーションパネル２１０から、送信設定の変更のためのユーザ入力を受け付ける（Ｓ３０６）。Ｓ３０６のユーザの操作自体は、Ｓ３０３の手段と同様である。ユーザ入力されていない設定に関しては、デフォルト値からではなく、Ｓ３０３または、繰り返し実行された前回のＳ３０６の送信設定が設定される。
【００２６】
次に、画像形成装置１０１はＳ３０６で変更された送信設定が、スキャナ２１１の動作速度に影響するものかどうかを判断する（Ｓ３０７）。この判断は、例えば、スキャン設定の解像度やカラーモードが変更されたかどうかという判断である。Ｓ３０７でスキャナ２１１の動作速度に影響する設定は変更されていないと判断した場合、Ｓ３０５に戻る。Ｓ３０７でスキャナ２１１の動作速度に影響する設定が変更されたと判断した場合、Ｓ３０４へ戻り、再度スキャナ２１１へ動作速度を通知する。一方、Ｓ３０５で送信開始要求を受け付けたと判断した場合は、画像形成装置１０１はオペレーションパネル２１０での送信開始ボタンの押下を受け付ける（Ｓ３０８）。
【００２７】
次に、画像形成装置１０１はスキャナ２１１へスキャナＩ／Ｆ２１０を通して動作開始要求を通知する（Ｓ３０９）。この時、スキャナ２１１はＳ３０４でのハードウェアの準備によって、即座に動作を開始することができる。スキャンが完了すると、画像形成装置１０１は読み取った画像をＳ３０３またはＳ３０６で設定されたファイル形式に変換を行う（Ｓ３１０）。次に、画像形成装置１０１はＳ３０３またはＳ３０６で設定された宛先に従って画像ファイリングサーバ１０２にファイルを送信し（Ｓ３１１）、本フローチャートの処理を終了する。
【００２８】
本実施例では、Ｓ３０４によってスキャナ２１１が実際に動作開始する前に、ハードウェアの動き出す準備ができるようになる。このため、Ｓ３０８でユーザが実際に開始ボタンを押下した直後にスキャナ２１１が動作開始し、ユーザにとっては、装置の反応がよく使い心地が良いものになる。
【符号の説明】
【００２９】
１０１  画像形成装置、１０２  サーバ、１０３  ファイアウォール、
１０４  Ｎｅｔｗｏｒｋ
【図１】
2020141350.tif 000003
【図２】
2020141350.tif 000004
【図３】
2020141350.tif 000005